(57)【要約】【課題】災害発生場所において、携帯通信機器のような機器を充電できるようにし、連絡や情報収集を行えるようにする。【解決手段】画像形成装置は、操作パネル、印刷部、蓄電部、制御部を備える。蓄電部は蓄電池と、供給端子部と、を含む。蓄電部は、蓄電池から電力供給を行う蓄電池供給モードで電力を供給する。蓄電池供給モードのとき、制御部は、蓄電池の電力に基づき動作する。蓄電池供給モードのとき、制御部は、供給端子部に接続された接続機器への電力供給の開始後、接続機器の充電が完了する前に接続機器への電力供給を停止させる。【選択図】図６
2019208187.tif 000002
【特許請求の範囲】
【請求項１】
操作を受け付け、表示パネルを含む操作パネルと、
印刷を行う印刷部と、
蓄電池と、前記蓄電池に蓄えられた電力を機器に供給する供給端子部と、を含む蓄電部と、
制御部と、を備え、
前記蓄電部は、商用電源からの電力供給がないとき、前記蓄電池から電力供給を行う蓄電池供給モードで電力を供給し、
前記制御部は、
前記蓄電池供給モードのとき、前記蓄電池の電力に基づき動作し、
前記蓄電池供給モードのとき、前記供給端子部に接続された接続機器への電力供給の開始後、前記接続機器の充電が完了する前に前記接続機器への電力供給を停止させることを特徴とする画像形成装置。
【請求項２】
前記蓄電池供給モードのとき、
前記制御部は、前記供給端子部からの電力供給の開始から予め定められた許容時間が経過したときに電力供給を停止し、
前記許容時間は、予め定められた目安時間よりも短いことを特徴とする請求項１に記載の画像形成装置。
【請求項３】
前記蓄電池供給モードのとき、
前記制御部は、前記蓄電池供給モードになってから前記蓄電池から供給された電力が多くなるほど、前記許容時間を短くすることを特徴とする請求項２に記載の画像形成装置。
【請求項４】
前記蓄電池供給モードとするためのモードスイッチを含み、
前記蓄電部は、前記商用電源からの電力供給がなくなってから前記モードスイッチが操作されるまで前記蓄電池からの電力供給を行わず、
前記商用電源からの電力供給がない状態で前記モードスイッチが操作された後に、前記蓄電池からの電力供給を開始することを特徴とする請求項１乃至３の何れか１項に記載の画像形成装置。
【請求項５】
前記蓄電部は、
オプション装置であり、
前記操作パネルと前記印刷部を含む画像形成装置の本体に対し、着脱可能であることを特徴とする請求項１乃至４の何れか１項に記載の画像形成装置。
【請求項６】
前記蓄電池に接続され、前記蓄電池が供給する直流電圧を交流電圧に変換するインバーターを含み、
前記供給端子部は、交流電力を供給するための差込接続器であり、
前記差込接続器は、
前記インバーターと接続され、
前記インバーターが出力する交流電力を前記接続機器に供給することを特徴とする請求項１乃至５の何れか１項に記載の画像形成装置。
【請求項７】
原稿を読み取って画像データを生成する画像読取部と、
通信を行うための通信部と、を含み、
前記蓄電池供給モードのとき、
前記蓄電部は、前記操作パネル、前記画像読取部、前記通信部に前記蓄電池の電力を供給し、
前記制御部は、
前記操作パネルが送信ジョブの実行指示を受け付けたとき、原稿を前記画像読取部に読み取らせ、原稿読み取りで得られた画像データに基づく送信用画像データを前記通信部に送信させることを特徴とする請求項１乃至６の何れか１項に記載の画像形成装置。
【請求項８】
前記蓄電池供給モードで前記送信ジョブの実行をできる優先者を定めた優先者データを記憶する記憶部を含み、
前記蓄電池供給モードのとき、
前記蓄電部は、電力を前記記憶部に供給して前記記憶部を動作させ、
前記制御部は、
前記操作パネルに入力された情報と前記優先者データに基づき、前記優先者が操作しているか否かを判定し、
前記優先者が操作していると判定したとき、前記送信ジョブを実行させ、
前記優先者ではない者が操作していると判定したとき、前記送信ジョブを実行させないことを特徴とする請求項７に記載の画像形成装置。
【請求項９】
前記蓄電池供給モードのとき、
前記蓄電部は、前記印刷部に電力を供給せず、
前記制御部は、前記印刷部に印刷させないことを特徴とする請求項７又は８に記載の画像形成装置。
【請求項１０】
前記商用電源と接続され、前記商用電源からの電力供給があるとき前記蓄電池に充電を行う電源部を含むことを特徴とする請求項１乃至９の何れか１項に記載の画像形成装置。
【請求項１１】
前記商用電源からの電力供給がある場合、
前記操作パネルが前記蓄電池への充電開始指示を受け付けたとき、
前記電源部は、前記蓄電池への充電を開始することを特徴とする請求項１０に記載の画像形成装置。
【請求項１２】
前記蓄電池供給モードとするためのモードスイッチを含み、
前記商用電源からの電力供給がある状態で前記モードスイッチをＯＮ状態にする操作されたとき、
前記制御部は、
前記モードスイッチをＯＦＦすべきことを知らせるメッセージを前記表示パネルに表示させることを特徴とする請求項１乃至１１の何れか１項に記載の画像形成装置。
【発明の詳細な説明】
【技術分野】
【０００１】
本発明は、災害時の電力不足を解消する画像形成装置に関する。
【背景技術】
【０００２】
複合機、プリンター、ＦＡＸ装置のような画像形成装置がある。画像形成装置は、通信、印刷のような複数の機能を有する。災害時、複数の機能を有する画像形成装置を有効活用することが好ましい。有効活用により、知りたい情報を得られる場合がある。例えば、被害状況や安否情報を得られる場合がある。このような特許文献１には、災害時に画像形成装置の機能を利用するための技術の一例が記載されている。
【０００３】
具体的に、特許文献１には、ネットワークを介して外部の通信装置との間で情報の送受信を行う通信部を含み、災害発生時に、被害状況の情報を入力するようユーザーに促すメッセージをネットワーク上の或る通信装置へ送信し、メッセージに対してユーザーが入力した情報を或る通信装置から受信し、情報をネットワーク上の他の通信装置に送信し、地震計が地震の発生を検知したとき、又は温度センサが温度の異常な上昇を検知したときに、メッセージを送信し、外部から電力が供給される間は蓄電を行い、外部からの電力の供給が停止したときは、蓄電した電力を通信部に供給する画像形成装置が記載されている（特許文献１：請求項１〜３参照）。
【先行技術文献】
【特許文献】
【０００４】
【特許文献１】特開２００８−２３６４８４号公報
【発明の概要】
【発明が解決しようとする課題】
【０００５】
なんらかの災害が発生したとき、迅速に安否の確認を行う必要がある。例えば、災害発生場所に住んでいる人や居合わせた人は、家族や友人に状況を知らせる。家族や友人が災害発生場所に住んでいる人に問い合わせることもある。また、災害が発生したとき、災害発生場所にいる者は、災害に関する情報を集める必要がある。
【０００６】
近年、スマートフォンのような携帯通信機器が普及している。連絡や情報収集に携帯通信機器が用いられる。携帯通信機器の多くは充電式である。携帯通信機器は充電切れになると使用できない。災害発生場所では、停電や電力供給制限が行われることが考えられる。そのため、携帯通信機器を充電できない状況が予想される。多数の人の充電切れの可能性がある。携帯通信機器の充電切れが生ずると、安否確認の連絡や災害関連情報の収集ができなくなるという問題がある。
【０００７】
特許文献１記載の技術によれば、メッセージの送信と、送信したメッセージの返信の受信と、返信されたメッセージの転送を行うことができる。しかし、災害発生場所での携帯通信機器の充電切れを解消することはできない。従って、特許文献１記載の技術では、上記の問題を解決することはできない。
【０００８】
本発明は上記従来技術の問題点に鑑み、災害発生場所において、携帯通信機器のような機器を充電できるようにし、連絡や情報収集を行えるようにする。
【課題を解決するための手段】
【０００９】
本発明に係る画像形成装置は、操作パネル、印刷部、蓄電部、制御部を備える。前記操作パネルは、操作を受け付け、表示パネルを含む。前記印刷部は印刷を行う。前記蓄電部は蓄電池と、前記蓄電池に蓄えられた電力を機器に供給する供給端子部と、を含む。前記蓄電部は、商用電源からの電力供給がないとき、前記蓄電池から電力供給を行う蓄電池供給モードで電力を供給する。前記制御部は、前記蓄電池供給モードのとき、前記蓄電池の電力に基づき動作する。前記制御部は、前記蓄電池供給モードのとき、前記供給端子部に接続された接続機器への電力供給の開始後、前記接続機器の充電が完了する前に前記接続機器への電力供給を停止させる。
【発明の効果】
【００１０】
本発明によれば、災害発生場所において、より多くの人の携帯通信機器の充電切れを防ぐことができる。災害発生場所において、多くの人が携帯通信機器を用いて連絡や情報収集を行えるようにする。
【図面の簡単な説明】
【００１１】
【図１】実施形態に係る複合機の一例を示す図である。
【図２】実施形態に係る蓄電部の一例を示す図である。
【図３】実施形態に係る蓄電部の一例を示す図である。
【図４】実施形態に係る蓄電池からの電力供給の一例を示す図である。
【図５】実施形態に係る蓄電池供給モードの開始時の処理の流れの一例を示す図である。
【図６】実施形態に係る蓄電池供給モードでの供給端子部を用いた充電の流れの一例を説明する。
【図７】実施形態に係る蓄電池供給モードで実行できるジョブの一例を示す図である。
【図８】実施形態に係る蓄電池の充電の一例を示す図である。
【図９】実施形態に係る充電画面の一例を示す図である。
【図１０】実施形態に係るモードスイッチが操作されたときの処理の一例を示す。
【発明を実施するための形態】
【００１２】
以下、図１〜図１０を用い、実施形態に係る画像形成装置を説明する。画像形成装置として、複合機１００を例に挙げて説明する。本実施形態の説明に記載されている構成、配置等の各要素は、発明の範囲を限定せず単なる説明例にすぎない。
【００１３】
（複合機１００）
図１を用いて、実施形態に係る複合機１００を説明する。図１は、実施形態に係る複合機１００の一例を示す図である。
【００１４】
図１に示すように、複合機１００は、制御部１、記憶部２、画像読取部３、操作パネル４、印刷部５、通信部６、電源部７、蓄電部８を含む。
【００１５】
制御部１は複合機１００の動作を制御する。制御部１は、コピーや送信のようなジョブでの動作を制御する。制御部１は、制御回路１０と画像処理回路１１を含む。制御回路１０は、例えば、ＣＰＵである。記憶部２はＲＡＭ、ＲＯＭ、ストレージ（ＨＤＤ又はＳＳＤ）を含む。制御部１は、記憶部２のプログラムやデータに基づき、各部を制御する。画像読取部３は、原稿を読み取って画像データを生成する。画像処理回路１１は、画像読取部３が生成した画像データの画像処理を行う。
【００１６】
操作パネル４は使用者の設定を受け付ける。操作パネル４は、表示パネル４１、タッチパネル４２、ハードキー４３を含む。制御部１は、メッセージ、設定用画面を表示パネル４１に表示させる。制御部１は、操作用画像を表示パネル４１に表示させる。例えば、操作用画像はボタン、キー、タブである。タッチパネル４２の出力に基づき、制御部１は、操作された操作用画像を認識する。ハードキー４３はスタートキー４４を含む。スタートキーはジョブの実行開始指示を行うためのキーである。タッチパネル４２、ハードキー４３は使用者の設定操作（ジョブに関する操作）を受け付ける。例えば、操作パネル４は、原稿の両面を読み取るジョブの設定を受け付ける。制御部１は操作パネル４の出力に基づき設定内容を認識する。
【００１７】
印刷部５は、給紙部５ａ、用紙搬送部５ｂ、画像形成部５ｃ、定着部５ｄを含む。印刷ジョブのとき、制御部１は用紙を給紙部５ａに供給させる。制御部１は用紙を用紙搬送部５ｂに搬送させる。用紙搬送部５ｂは印刷済み用紙を機外に排出する。制御部１は画像データに基づくトナー像を画像形成部５ｃに形成させる。制御部１は搬送用紙へのトナー像の転写を画像形成部５ｃに行わせる。制御部１は転写されたトナー像の用紙への定着を定着部５ｄに行わせる。用紙搬送部５ｂは、定着後の用紙を機外に排出する。
【００１８】
通信部６は、通信用のハードウェア（通信回路）とソフトウェアを含む。通信部６はコンピューター２００やＦＡＸ装置３００と通信する。コンピューター２００は、例えば、ＰＣやサーバーである。
【００１９】
電源部７は、商用電源４００と電源コードで接続される。電源部７は商用電源４００から供給される電力を変換する。電源部７は、制御部１、記憶部２、画像読取部３、操作パネル４、印刷部５、通信部６の動作に必要な電圧を生成し、供給する。
【００２０】
（蓄電部８）
次に、図２、３を用いて、実施形態に係る蓄電部８の一例を説明する。図２、図３は、実施形態に係る蓄電部８の一例を示す図である。
【００２１】
図２に示すように、複合機１００は本体部１０１を含む。本体部１０１は、制御部１、記憶部２、画像読取部３、操作パネル４、印刷部５、通信部６、電源部７を含む。本体部１０１に蓄電部８が取り付けられる。蓄電部８は、オプション装置である。複合機１００の本体部１０１に対し、着脱可能である。複合機１００に蓄電部８を増設することができる。図２は、複合機１００の側面に蓄電部８を取り付けている例を示す。蓄電部８は、複合機１００の底面に取り付けられてもよい。
【００２２】
蓄電部８は、蓄電池８１（蓄電池８１）と供給端子部８２を含む。供給端子部８２は蓄電池８１と接続される。供給端子部８２は、接続機器に蓄電池８１の電力を供給するためのものである。接続機器は、例えば、携帯通信機器５００である。携帯通信機器５００は、例えば、スマートフォン、携帯電話、タブレット型コンピューターである。携帯通信機器５００はノート型のＰＣでもよい。供給端子部８２により、携帯通信機器５００を充電することができる。なお、供給端子部８２に接続する機器は、携帯通信機器５００に限られない。
【００２３】
蓄電池８１の容量（放電容量）は、複数台の携帯通信機器５００を充電可能な容量とできる。例えば、容量は、平均的な携帯通信機器５００の充電池の５〜数十台分の大きさとできる。例えば、蓄電池８１の容量は、数万ｍＡｈ以上とできる。
【００２４】
供給端子部８２はＡＣ用のものとＤＣ用のものがある。ＡＣ用の供給端子部８２は、差込接続器（コンセント）である。ＡＣ用の供給端子部８２を用いて携帯通信機器５００に充電するとき、携帯通信機器５００用のＡＣアダプター６００が供給端子部８２に差し込まれる。供給端子部８２に差し込まれたＡＣアダプター６００を介して充電できるように、蓄電池８１とＡＣ用の供給端子部８２の間にインバーター８３が設けられる。インバーター８３は、蓄電池８１が供給する直流電圧を交流電圧に変換する。インバーター８３には、蓄電池８１の直流電力が入力される。インバーター８３は、交流電力を供給端子部８２に出力する。インバーター８３の出力する交流の電圧と周波数は、商用電源４００と同じ、又は、ほぼ同じである。これにより、ＡＣアダプター６００を介して、携帯通信機器５００を充電することができる。
【００２５】
ＤＣ用の供給端子部８２は、例えば、ＵＳＢ端子である。ＤＣ用の供給端子部８２を用いて携帯通信機器５００に充電するとき、携帯通信機器５００用の充電コードの一端が供給端子部８２に差し込まれる。携帯通信機器５００用の充電コードの他端が携帯通信機器５００の充電用端子に差し込まれる。これにより、充電コードを用いて携帯通信機器５００を充電することもができる。
【００２６】
複合機１００の電源部７は、電源コードにより商用電源４００と接続できる。電源コードは、室内配電用のコンセントと複合機１００を繋ぐ。商用電源４００の電力が電源部７に入力される。電源部７は、複数の電力変換回路７１を含む（図３では便宜上１つのみ図示）。それぞれの電力変換回路７１は、交流を整流し、設定された直流電圧を出力する。電源部７が生成した電圧は、蓄電池８１に入力できる。蓄電池８１の充電をＯＮ／ＯＦＦするための充電スイッチ９１が設けられる。蓄電池８１を充電するとき、制御部１は、充電スイッチ９１をＯＮ状態にする（閉じる）。この場合、電源部７が生成した電圧が蓄電池８１に入力される。蓄電池８１を充電しないとき、制御部１は、充電スイッチ９１をＯＦＦ状態にする（開ける）。この場合、電源部７が生成した電圧は蓄電池８１に入力されない。
【００２７】
蓄電池８１の電力は、複合機１００の各部にも供給することができる。例えば、図３に示すように、蓄電池８１は、制御部１、記憶部２、画像読取部３、操作パネル４、通信部６に供給できる。停電や電源コードの抜けにより、電源部７と商用電源４００が接続されなくなることがある。複合機１００に商用電源４００の電力が供給されていなくても、制御部１、記憶部２、画像読取部３、操作パネル４、通信部６を動作できる。
【００２８】
（蓄電池８１からの電力供給）
次に、図４を用いて、実施形態に係る蓄電池８１からの電力供給の一例を説明する。図４は、実施形態に係る蓄電池８１からの電力供給の一例を示す図である。
【００２９】
複合機１００は、蓄電池供給モードを備える。蓄電池供給モードは、商用電源４００からの電力供給がないとき、蓄電池８１の電力を電力供給先に供給するモードである。電力供給先は、例えば、供給端子部８２、供給端子部８２に接続された機器（携帯通信機器５００）、制御部１、記憶部２、画像読取部３、操作パネル４、通信部６である。
【００３０】
複合機１００はモードスイッチ９を含む。モードスイッチ９は、蓄電池供給モードを開始するためのスイッチである。モードスイッチ９は蓄電池８１と電力供給先との間に設けられる。モードスイッチ９は、ハードウェアとして、蓄電部８の側面や背面に設けられる。モードスイッチ９は、例えば、ロッカースイッチやトグルスイッチのような機械的なスイッチである。モードスイッチ９は、オン状態とオフ状態を有する。オン状態のとき、モードスイッチ９は蓄電池８１と電力供給先を接続する。オン状態のとき、蓄電部８は、蓄電池供給モードとなる。オフ状態のとき、モードスイッチ９は蓄電池８１と電力供給先を接続しない。商用電源４００からの電力供給がなく、蓄電池８１からの電力が供給されたとき（蓄電池供給モードを開始したとき）、制御部１、記憶部２、画像読取部３、操作パネル４、通信部６が起動する。
【００３１】
蓄電池８１（モードスイッチ９）と供給端子部８２の間にスイッチ部９０が設けられる。１つの供給端子部８２に対し、１つのスイッチ部９０が設けられる。スイッチ部９０は、供給端子部８２からの電力供給のＯＮ／ＯＦＦを制御するためのスイッチである。制御部１は、スイッチ部９０を制御する。制御部１は、電力を供給させる供給端子部８２に対応するスイッチ部９０をＯＮ状態とする。制御部１は、電力を供給させない供給端子部８２に対応するスイッチ部９０をＯＦＦ状態とする。制御部１は、供給端子部８２からの電力供給を制御できる。
【００３２】
制御部１は電圧検知回路１２を含む。電圧検知回路１２は蓄電池８１の端子間電圧を検知する。制御部１は、蓄電池８１の電圧を認識できる。また、電圧検知回路１２は、供給端子部８２（の電源端子とグランド端子）の電圧を検知する。つまり、制御部１は、供給端子部８２に接続された機器（接続機器）の蓄電池８１の電圧を認識できる。また、制御部１は電流検知回路１３を含む。電流検知回路１３は、蓄電池８１から供給された電流の大きさを検知する。制御部１は、電流検知回路１３の出力に基づき、蓄電池８１から供給された電流量を測る。
【００３３】
（蓄電池供給モードでの処理の流れ）
次に、図５に基づき、実施形態に係る蓄電池供給モードの開始時の処理の流れの一例を説明する。図５は、実施形態に係る蓄電池供給モードの開始時の処理の流れの一例を示す図である。
【００３４】
図５のスタートは、商用電源４００からの電力供給がない状態（電源部７に商用電源４００の入力がない状態）になった時点である。モードスイッチ９が操作されるまで、蓄電部８は、蓄電池８１からの電力供給を開始しない（ステップ♯１１、ステップ♯１１のＮｏ→ステップ♯１１）。モードスイッチ９が操作されたとき、蓄電部８は、蓄電部８は、蓄電池８１からの電力供給を開始する（ステップ♯１２）。
【００３５】
なお、モードスイッチ９を設けず、商用電源４００からの電力供給がなくなると直ちに、蓄電部８は蓄電池８１からの電力供給を開始してもよい。例えば、電源部７の商用電源４００入力用の端子にゼロクロス信号生成回路を接続する。商用電源４００の１〜数周期続けて、ゼロクロス信号生成回路からのゼロクロス信号のパルスが入力されないとき、制御部１は、蓄電池８１からの電力供給を蓄電部８に開始させてもよい。
【００３６】
蓄電池８１からの電力供給開始により、制御部１、記憶部２、画像読取部３、操作パネル４、通信部６が起動する（ステップ♯１３）。ここで、電源コードがコンセントにささっていない状態で誤ってモードスイッチ９が操作されることがある。このような場合、蓄電池８１の電力を利用して、制御部１等を動作させる必要はない。そこで、制御部１や操作パネル４の起動後、制御部１は、確認メッセージを表示パネル４１に表示させる（ステップ♯１４）。確認メッセージは、例えば、誤ってモードスイッチ９を操作したならばモードスイッチ９をＯＦＦ状態にすべきことを知らせるメッセージである。また、確認メッセージは、災害ではない場合には、モードスイッチ９をＯＦＦ状態にすべきことを知らせるメッセージとしてもよい。誤ってモードスイッチ９を操作した場合、使用者は、モードスイッチ９をＯＦＦ状態にすればよい。
【００３７】
（供給端子部８２を用いた充電）
次に、図６に基づき、実施形態に係る蓄電池供給モードでの供給端子部８２を用いた充電の流れの一例を説明する。図６は、実施形態に係る蓄電池供給モードでの供給端子部８２を用いた充電の流れの一例を説明する。
【００３８】
図６のスタートは、制御部１が供給端子部８２への機器の接続を認識した時点である。例えば、制御部１は、供給端子部８２の電圧変化を認識する。例えば、供給端子部８２の端子の電圧が制御部１に入力される（図４参照）。制御部１は、供給端子部８２の電圧変化に基づき、機器の接続を認識してもよい。例えば、充電切れの携帯通信機器５００が接続されたとき、供給端子部８２の電圧が低下する。
【００３９】
機器への充電が開始されたとき、制御部１は、充電時間を測り始める（ステップ♯２１）。充電時間は充電を続けている時間である。時間を測るため、制御部１は、計時回路１４を含んでもよい（図４参照）。そして、制御部１は、継続時間が許容時間Ｔ１を経過したか否かを確認する（ステップ♯２２）。
【００４０】
許容時間Ｔ１は、予め定められた目安時間よりも短い。目安時間は、携帯通信機器５００の充電残量を数十％（例えば、３０％）程度、増加させるのに要する時間である。なお、操作パネル４は、許容時間Ｔ１の設定を受け付けてもよい。この場合、記憶部２は、設定さるた許容時間Ｔ１を不揮発的に記憶する（図１参照）。制御部１は、設定され、記憶部２に記憶される許容時間Ｔ１を用いる。
【００４１】
制御部１は、許容時間Ｔ１の経過の確認を続ける（ステップ♯２２のＮｏ→ステップ♯２２）。充電時間が許容時間Ｔ１を経過したとき、制御部１は、接続機器（携帯通信機器５００）への電力供給を停止する（ステップ♯２３）。制御部１はスイッチ部９０をＯＦＦ状態とする。蓄電池供給モードのとき、制御部１は、接続機器（携帯通信機器５００）への電力供給の開始後、接続機器の充電が完了する前に電力供給を停止させる。つまり、制御部１は、接続機器への電力供給を制限する。これにより、緊急時、蓄電池８１の電力を多くの人に分け与えることができる。
【００４２】
例えば、許容時間Ｔ１の充電が完了したとき、制御部１（電圧検知回路１２）は、供給端子部８２の電圧を周期的に検知する。制御部１は、供給端子部８２の電圧変化に基づき、供給端子部８２から携帯通信機器５００のような機器が抜かれた（取られた）ことを認識する。供給端子部８２から機器が抜かれたことを検知できるまで、制御部１は、許容時間Ｔ１の充電を行った供給端子部８２に対応するスイッチ部９０をＯＦＦ状態で保つ。供給端子部８２から機器が抜かれたことを検知できたとき、制御部１は、許容時間Ｔ１の充電を行った供給端子部８２に対応するスイッチ部９０をＯＮ状態にする。これにより、供給端子部８２は、別の機器の充電を行える状態になる。
【００４３】
なお、蓄電池８１の電荷残量に応じて、充電時間を変化させてもよい。例えば、ステップ♯２２において、制御部１は、蓄電池供給モードになった後、蓄電池８１から供給された電流量が多くなるほど、充電時間を短くしてもよい。上述のように、制御部１は、蓄電池８１から供給された電流量の合計を求めることができる。蓄電池８１の残量が少なくなるに従い、供給端子部８２に接続された機器に分け与える電流（電力）を減らす。これにより、蓄電池８１の充電が切れる時点を自動的に延ばすことができる。
【００４４】
（蓄電池供給モードでのジョブ）
次に、図７を用いて、実施形態に係る蓄電池供給モードで実行できるジョブの一例を説明する。図７は、実施形態に係る蓄電池供給モードで実行できるジョブの一例を示す図である。
【００４５】
蓄電池供給モードでも複合機１００でジョブを実行することができる。しかと、実行できるジョブは送信ジョブに限られる。蓄電池８１が充電切れになるまでの時間を長くするため、安否確認を知らせるための送信ジョブのみを実行可能とする。蓄電池供給モードで実行できる送信ジョブは、例えば、ＦＡＸ送信ジョブである。なお、蓄電池供給モードで電子メール送信ジョブを実行できるようにしてもよい。
【００４６】
まず、図７のスタートは、商用電源４００からの電力供給がない状態（蓄電池供給モード）で操作パネル４が操作された時点である。まず、操作パネル４は、ジョブの種類の選択を受け付ける（ステップ♯３１）。蓄電池供給モードでないとき（通常モードのとき）、操作パネル４では、コピージョブ、送信ジョブ、ボックスジョブなど、複数種類のジョブを選択することができる。
【００４７】
制御部１は選択されたジョブの種類が送信ジョブか否かを確認する（ステップ♯３２）。選択されたジョブの種類が送信ジョブではないとき（ステップ♯３２のＮｏ）、制御部１は選択した種類のジョブは実行できない旨を表示パネル４１に表示させる（ステップ♯３３）。そして本フローは終了する（エンド）。蓄電池供給モードでは、制御部１は、印刷部５に電力を供給させない。制御部１は、消費電力が大きい印刷部５に印刷させない。
【００４８】
選択されたジョブの種類が送信ジョブのとき（ステップ♯３２のＹｅｓ）、制御部１は、使用者情報入力画面を表示パネル４１に表示させる（ステップ♯３４）。使用者情報入力画面は、例えば、使用者名とパスワードを入力するための画面である。制御部１はソフトウェアキーボード画面を表示パネル４１に表示させる。使用者は、使用者名とパスワードを入力する。操作パネル４（タッチパネル４２）は、使用者名とパスワードの入力を受け付ける。制御部１は入力された使用者名とパスワードを認識する（ステップ♯３５）。
【００４９】
入力された使用者名とパスワードに基づき、制御部１は、使用者が優先者か否かを判定する（ステップ♯３６）。優先者は、蓄電池供給モードで送信ジョブを実行できる者である。記憶部２は、優先データＤ１を不揮発的に記憶する（図１参照）。優先データＤ１は優先者の名前とパスワードを定義したデータである。優先データＤ１は、予め記憶部２に登録される。操作パネル４は、優先者の名前とパスワードの入力を受け付ける。制御部１は、入力された優先者の名前とパスワードの組み合わせを記憶部２に不揮発的に記憶させる。誰を優先者とするかは、予め定められる。例えば、携帯通信機器５００を所持していない者を優先者とすることができる。
【００５０】
蓄電池供給モードのとき、制御部１は、優先データＤ１と、操作パネル４に入力された使用者名とパスワードと、を比較する。入力された使用者名とパスワードが、優先データＤ１に定義された優先者の名前とパスワードと一致するとき、制御部１は、使用者が優先者と判定する（ステップ♯３６のＹｅｓ）。一致しないとき、制御部１は、使用者が優先者ではないと判定する（ステップ♯３６のＮｏ）。
【００５１】
使用者が優先者ではないと判定したとき（ステップ♯３６のＮｏ）、フローは終了する（エンド）。このとき、制御部１は、優先者ではないために送信ジョブを行えないメッセージを表示パネル４１に表示させてもよい。使用者が優先者と判定したとき（ステップ♯３６のＹｅｓ）、制御部１は、送信ジョブの設定を許諾する（ステップ♯３７）。これにより、使用者は、送信ジョブに関する各種設定を操作パネル４で行える。例えば、宛先や送信手法を設定することができる。例えば、ＦＡＸとＥメールのうち、何れで送信するかを設定することができる。設定完了後、使用者は、操作パネル４に送信ジョブの実行指示を入力する。
【００５２】
操作パネル４が送信ジョブの実行指示を受け付けたとき、制御部１は、画像読取部３、通信部６に送信ジョブを実行させる（ステップ♯３８）。送信ジョブのとき、制御部１は、画像読取部３に原稿を読み取らせる。制御部１は画像読取部３に画像データを生成させる。制御部１は、原稿読み取りで得られた画像データに基づく送信用画像データを通信部６に送信させる。
【００５３】
なお、制御部１は、蓄電池供給モードで送信ジョブを行った優先者を記憶部２に記録させてもよい。そして、蓄電池供給モードで全ての優先者が送信ジョブを行った後は、制御部１は、優先者以外の使用者の送信ジョブを実行するようにしてもよい。また、ステップ♯３６を行わないようにしてもよい。
【００５４】
（蓄電池８１の充電）
次に、図８、図９を用いて、実施形態に係る蓄電池８１の充電の一例を説明する。図８は、実施形態に係る蓄電池８１の充電の一例を示す図である。図９は実施形態に係る充電画面４５の一例を示す図である。
【００５５】
蓄電池８１の充電は、商用電源４００からの電力供給があるときに行われる。複合機１００の各部（制御部１、記憶部２、画像読取部３、操作パネル４、印刷部５、通信部６、電源部７）が商用電源４００から供給される電力に基づき動作している間に、蓄電池８１の充電が開始される。
【００５６】
図８のスタートは、複合機１００の主電源が投入され、複合機１００の起動が完了した時点である。制御部１は、操作パネル４が充電開始指示を受け付けたか否かの確認を続ける（ステップ♯４１のＮｏ→ステップ♯４１）。所定の操作が操作パネル４になされたとき、制御部１は、充電画面４５を操作パネル４に表示させる。
【００５７】
図９は充電画面４５の一例を示す。制御部１は、蓄電池８１の電圧を検知する。制御部１は、蓄電池８１の端子間電圧が所定範囲内のとき、蓄電池８１の電荷の残量が１００％と判断する。制御部１は、蓄電池８１の端子間電圧が所定範囲の最小値未満のとき、充電画面４５に充電開始ボタンＢ１を表示させる（図９の上方の図）。充電開始ボタンＢ１をタッチする操作が充電開始指示である。操作パネル４（タッチパネル４２）は、充電開始指示を受け付ける。なお、制御部１は、蓄電池８１の端子間電圧が所定範囲内のとき、充電画面４５に充電済メッセージＭ１を表示させる。
【００５８】
操作パネル４が充電開始指示を受け付けたとき（ステップ♯４１のＹｅｓ）、制御部１は、蓄電池８１の充電を開始させる（ステップ♯４２）。制御部１は、充電スイッチ９１をＯＮ状態にする。これにより、電源部７の出力電圧が蓄電池８１に印加される。そして、制御部１は、充電が完了したか否かの判定を周期的に行う（ステップ♯４３、ステップ♯４３のＮｏ→ステップ♯４３）。例えば、制御部１は、蓄電池８１の端子間電圧が所定範囲内になったとき、充電完了と判定する。
【００５９】
充電が完了したとき（ステップ♯４３のＹｅｓ）、制御部１は、蓄電池８１の充電を終了する（ステップ♯４４）。制御部１は充電スイッチ９１をＯＦＦ状態にする。そして、制御部１は、充電済メッセージＭ１を含む充電画面４５を表示パネル４１に表示させる（ステップ♯４５）。そして、本フローは終了する（エンド）。
【００６０】
（商用電源４００からの電力供給があるときの処理）
次に、図１０を用いて、実施形態に係るモードスイッチ９が操作されたときの処理の一例を説明する。図１０は、実施形態に係るモードスイッチ９が操作されたときの処理の一例を示す。
【００６１】
図１０のスタートは、商用電源４００からの電力供給があり、複合機１００の主電源投入により、制御部１が起動しており、かつ、制御部１がモードスイッチ９のＯＮ状態を認識した時点である。モードスイッチ９の出力は制御部１に入力される。制御部１は、モードスイッチ９のＯＮ／ＯＦＦの状態を認識できる。
【００６２】
まず、制御部１は電源部７を停止させる（ステップ♯５１）。電源部７と蓄電池８１は、それぞれ、制御部１、記憶部２、画像読取部３、操作パネル４、通信部６に電力を供給する経路を含む。電源部７と蓄電池８１が同時にこれらの部分に電力を供給したとき、蓄電池８１に逆方向に電流が流れ込む可能性がある。そこで、一端、電源部７を停止させる。これにより、ひとまず蓄電池８１から電力を供給させる。そして、制御部１は、モードスイッチ９をＯＦＦ状態にすべきことを知らせるメッセージを表示パネル４１に表示させる（ステップ♯５２）。そして、本フローは終了する（エンド）。
【００６３】
このようにして、実施形態に係る画像形成装置（複合機１００）は、操作パネル４、印刷部５、蓄電部８、制御部１を備える。操作パネル４は、操作を受け付け、表示パネル４１を含む。印刷部５は印刷を行う。蓄電部８は蓄電池８１と、蓄電池８１に蓄えられた電力を機器に供給する供給端子部８２と、を含む。蓄電部８は、商用電源４００からの電力供給がないとき、蓄電池８１から電力供給を行う蓄電池供給モードで電力を供給する。制御部１は、蓄電池供給モードのとき、蓄電池８１の電力に基づき動作する。制御部１は、蓄電池供給モードのとき、供給端子部８２に接続された接続機器への電力供給の開始後、接続機器の充電が完了する前に接続機器への電力供給を停止させる。
【００６４】
災害による停電等のために携帯通信機器５００の充電ができない状態でも、供給端子部８２に接続機器として携帯通信機器５００を接続することにより、携帯通信機器５００の充電切れを解消することができる。充電された携帯通信機器５００を用いることにより、連絡や情報収集を行うことができる。しかも、携帯通信機器５００（接続機器）の充電が完了する前に、携帯通信機器５００への電力供給を自動的に停止することができる。蓄電池８１に蓄えられた電力を多くの携帯通信機器５００に分け与えることができる。多くの人が携帯通信機器５００を利用し、安否確認や現状の情報収集を行うことができる。
【００６５】
蓄電池供給モードのとき、制御部１は、供給端子部８２からの電力供給の開始から予め定められた許容時間Ｔ１が経過したときに電力供給を停止する。許容時間Ｔ１は、予め定められた目安時間よりも短い。
【００６６】
一定時間が経過した時点で供給端子部８２に接続された携帯通信機器５００への電力供給を停止することができる。携帯通信機器５００の充電率が１００％となる前に、携帯通信機器５００への電力供給を自動的に中止することができる。目安時間は適宜定められる。例えば、目安時間は、携帯通信機器５００の蓄電池８１残量が０％から数十％（例えば３０％）程度まで回復するのに要する時間とできる。
【００６７】
蓄電池供給モードのとき、制御部１は、蓄電池供給モードになってから蓄電池８１から供給された電力が多くなるほど、許容時間Ｔ１を短くする。蓄電部８の蓄電池８１の残量が少なくなるに従い、供給端子部８２に接続された携帯通信機器５００に供給する電力を少なくすることができる。蓄電部８の蓄電池８１の残量がゼロになるまでの時間を延ばすことができる。
【００６８】
複合機１００は、蓄電池供給モードとするためのモードスイッチ９を含む。蓄電部８は、商用電源４００からの電力供給がなくなってからモードスイッチ９が操作されるまで蓄電池８１からの電力供給を行わない。蓄電部８は、商用電源４００からの電力供給がない状態でモードスイッチ９が操作された後に、蓄電池８１からの電力供給を開始する。モードスイッチ９が操作されてから蓄電池供給モードを開始することができる。商用電源４００と画像形成装置を繋ぐ電源コードが抜けただけでは、蓄電池供給モードとならないようにすることができる。
【００６９】
また、蓄電部８は、オプション装置である。蓄電部８は、操作パネル４と印刷部５を含む画像形成装置の本体に対し、着脱可能である。蓄電部８をオプション装置とすることができる。画像形成装置の本体の価格を抑えることができる。蓄電部８が必要な者だけオプション装置として購入し、画像形成装置に装着すればよい。
【００７０】
また、複合機１００は、蓄電池８１に接続され、蓄電池８１が供給する直流電圧を交流電圧に変換するインバーター８３を含む。供給端子部８２は、交流電力を供給するための差込接続器である。差込接続器は、インバーター８３と接続される。差込接続器は、インバーター８３が出力する交流電力を接続機器に供給する。携帯通信機器５００専用の交直変換用のアダプターを介して、携帯通信機器５００に充電することができる。蓄電部８を用いて、様々な携帯通信機器５００を充電することができる。
【００７１】
複合機１００は、原稿を読み取って画像データを生成する画像読取部３と、通信を行うための通信部６と、を含む。蓄電池供給モードのとき、蓄電部８は、操作パネル４、画像読取部３、通信部６に蓄電池８１の電力を供給する。制御部１は、操作パネル４が送信ジョブの実行指示を受け付けたとき、原稿を画像読取部３に読み取らせ、原稿読み取りで得られた画像データに基づく送信用画像データを通信部６に送信させる。蓄電池供給モードのとき、安否確認連絡用の送信ジョブを実行させることができる。安全であることを知らせる情報を外部に発信することができる。
【００７２】
また、複合機１００は記憶部２を含む。記憶部２は、蓄電池供給モードで送信ジョブの実行をできる優先者を定めた優先データＤ１を記憶する。蓄電池供給モードのとき、蓄電部８は、電力を記憶部２に供給して記憶部２を動作させる。制御部１は、操作パネル４に入力された情報と優先データＤ１に基づき、優先者が操作しているか否かを判定する。制御部１は、優先者が操作していると判定したとき、送信ジョブを実行させる。優先者ではない者が操作していると判定したとき、制御部１は、送信ジョブを実行させない。優先者のみが送信ジョブを実行できるようにすることができる。例えば、携帯通信機器５００を所有していない者を優先者と設定する。これにより、連絡手段が画像形成装置しかない者にのみ、送信ジョブを実行させることができる。
【００７３】
また、蓄電池供給モードのとき、蓄電部８は、印刷部５に電力を供給しない。制御部１は、印刷部５に印刷させない。蓄電池８１の電力を印刷部５での印刷に使用しないようにすることができる。蓄電池８１に蓄えられた電力の使用目的を安否連絡のための通信に限ることができる。
【００７４】
また、電源部７は、商用電源４００と接続され、商用電源４００からの電力供給があるとき蓄電池８１に充電を行う。平常時、蓄電池８１に充電することができる。蓄電池８１の充電率を高い状態で保つことができる。
【００７５】
商用電源４００からの電力供給がある場合、操作パネル４が蓄電池８１への充電開始指示を受け付けたとき、電源部７は、蓄電池８１への充電を開始する。平常時（商用電源４００からの電力供給があるとき）、操作パネル４が充電の指示を受け付けたことをトリガーとして、蓄電池８１の充電を開始することができる。蓄電池８１の過充電を防ぐことができる。
【００７６】
複合機１００は、蓄電池供給モードとするためのモードスイッチ９を含む。商用電源４００からの電力供給がある状態でモードスイッチ９をＯＮ状態にする操作されたとき、制御部１は、モードスイッチ９をＯＦＦすべきことを知らせるメッセージを表示パネル４１に表示させる。蓄電池供給モードとする必要がないとき、蓄電池８１からの電力供給を行わないようにすることができる。蓄電池８１の劣化を防ぐことができる。また、モードスイッチ９の設定（ＯＮ／ＯＦＦ）が適切でないことを知らせることができる。
【産業上の利用可能性】
【００７７】
本発明は、画像形成装置に利用可能である。
【符号の説明】
【００７８】
１００  複合機（画像形成装置）          １      制御部
３      画像読取部                      ４      操作パネル
４１    表示パネル                      ５      印刷部
６      通信部                          ８      蓄電部
８１    蓄電池                          ８２    供給端子部
８３    インバーター                    ９      モードスイッチ
４００  商用電源                        ５００  携帯通信機器（接続機器）
Ｄ１    優先データ                      Ｔ１    許容時間
【図１】
2019208187.tif 000003
【図２】
2019208187.tif 000004
【図３】
2019208187.tif 000005
【図４】
2019208187.tif 000006
【図５】
2019208187.tif 000007
【図６】
2019208187.tif 000008
【図７】
2019208187.tif 000009
【図８】
2019208187.tif 000010
【図９】
2019208187.tif 000011
【図１０】
2019208187.tif 000012